(57)【要約】【課題】ライフスタイルの中で、例えば、朝から晩まで長時間に亘って着用でき、また、着用することにより体の必要部位に必要なサポート力をかけることができ、該サポート力のテーピング効果により姿勢をコントロールしたり体形を補正することの可能なウェアを提供する。【解決手段】伸縮性を有する素材を用いて、経編みや丸編みその他、殊には経編みにより縫い目のない一体成型形状に上半身ウェアを製作し、該上半身ウェアを着用することで体の必要部位に着圧をかけてテーピング効果により姿勢をコントロールしたり体形を補正するウェアで、前記体に着圧をかける上半身ウェアは、殊にはラッセル編み機による経編みを用い、該経編みの切り替えしにより上半身ウェアに部分的なパワーの強弱を保有させ、該パワーの強弱配分にて姿勢をコントロールしたり体形を補正する。【選択図】図２
2007138335.tif 000002
【特許請求の範囲】
【請求項１】
伸縮性を有する素材を用い縫い目のない一体成型形状に上半身ウェアを製作し、
該上半身ウェアを着用することにより体の必要部位に着圧をかけテーピング効果にて姿勢をコントロールしまた体形を補正すること、
を特徴とする姿勢をコントロールするためのウェア。
【請求項２】
伸縮性を有する素材を用い縫い目のない一体成型形状に上半身ウェアを製作し、該上半身ウェアを着用することにより体の必要部位に着圧をかけテーピング効果にて姿勢をコントロールしまた体形を補正するウェアに於いて、
前記体に着圧をかける上半身ウェアは編みの切り替えしにより上半身ウェアに部分的な伸度の大小を保有させ、
該伸度の大小配分にて姿勢をコントロールしまた体形を補正すること、
を特徴とする姿勢をコントロールするためのウェア。
【請求項３】
伸縮性を有する素材を用い縫い目のない一体成型形状に上半身ウェアを製作し、該上半身ウェアを着用することにより体の必要部位に着圧をかけテーピング効果にて姿勢をコントロールしまた体形を補正するウェアに於いて、
前記体に着圧をかける上半身ウェアは編みの切り替えしによりアンダーバストまわりから肩口にかけて、並びに肩甲骨から背中にかけてクロスさせた形状で伸度が小さく強いパワーゾーンを形成し、
該パワーゾーンの編み部を姿勢制御用部とすること、
を特徴とする姿勢をコントロールするためのウェア。
【請求項４】
前記伸縮性を有する素材を用い縫い目のない一体成型形状に製作された上半身ウェアは編みの切り替えしによりアンダーバストまわりから肩口にかけて、並びに肩甲骨から背中にかけてクロスさせた形状でパワーゾーンが形成され、
該パワーゾーンからなる姿勢制御用部のうち前記肩甲骨から背中にかけてクロスさせた形状で構成されたパワーゾーンは前記アンダーバストまわりから肩口にかけてのパワーゾーンに比較して、着用時に於いてはその伸度が小さく強いパワーを有していること、
を特徴とする請求項３に記載された姿勢をコントロールするためのウェア。
【請求項５】
前記伸縮性を有する素材を用い縫い目のない一体成型形状に製作された上半身ウェアは編みの切り替えしによりアンダーバストまわりから肩口にかけて、並びに肩甲骨から背中にかけてクロスさせた形状でパワーゾーンが形成され、
該パワーゾーンからなる姿勢制御用部は縦方向にその伸度が小さくまた横方向にはその伸度を大きく構成したこと、
を特徴とする請求項３または請求項４の何れかに記載された姿勢をコントロールするためのウェア。
【請求項６】
前記伸縮性を有する素材を用い縫い目のない一体成型形状に製作された上半身ウェアはパワーゾーンが形成された姿勢制御用部と他の生地部とからなり、
該生地部は前記パワーゾーンが形成された姿勢制御用部に比較してその伸度が大きく弱いパワーを有していること、
を特徴とする請求項３乃至請求項５の何れかに記載された姿勢をコントロールするためのウェア。
【請求項７】
前記伸縮性を有する素材を用い縫い目のない一体成型形状に製作された上半身ウェアはパワーゾーンが形成された姿勢制御用部と他の生地部とからなり、
該生地部は縦方向にその伸度が小さくまた横方向にはその伸度を大きく構成したこと、
を特徴とする請求項３乃至請求項６の何れかに記載された姿勢をコントロールするためのウェア。
【請求項８】
前記伸縮性のある素材を用い一体成型形状に製作される上半身ウェアが、最大で２．０ｍｍ厚、最小で０．３ｍｍ厚の薄肉厚であること、
を特徴とする請求項１乃至請求項７の何れかに記載された姿勢をコントロールするためのウェア。
【請求項９】
前記伸縮性のある素材を用い一体成型形状に製作される上半身ウェアは、表面にはポリエステル、裏面にはナイロンとポリウレタン混をリバーシブルで使用していること、
を特徴とする請求項１乃至請求項８の何れかに記載された姿勢をコントロールするためのウェア。
【発明の詳細な説明】
【技術分野】
【０００１】
本発明は、男女のインナーウェアやスポーツジム用ウェア、Ｔシャツ（アウターウェア）、水着等に使用され、着用者の姿勢をコントロールするためのウェアに関するものである。
【０００２】
本発明は、特に、着用することで体の必要部位に着圧をかけてテーピング効果により姿勢をコントロールしたり、体形を補正することの可能なウェアに関するものである。
【背景技術】
【０００３】
従来、スポーツウェアにおいて、被服圧を加えることにより、筋力の補強や筋力を強化して運動機能の増大を促すものが、特許文献１（特許第３０１２８１９号公報）や特許文献２（特開２００５−１４６４５０号公報）にて開示されている。
【０００４】
また、特許文献３（特開２００１−３２１０４号公報）には、女子の競泳用水着において、体幹部から大腿部や下腿部まで連続的に生地で覆い、男子の競泳用水着においては、ウエスト部から大腿部や下腿部まで覆うか、もしくは体幹部から大腿部や下腿までを連続的に生地で覆うことで、該競泳水着に用いられる伸縮性生地の作用に由来する体長方向のサポート力により、競技者は競泳中に頭部の位置に対して腰、膝、足先の位置を水面に対して平行な姿勢を保つことが容易になり、該姿勢の保持により抵抗を軽減する技術が開示されている。
【０００５】
然しながら、特許文献１、乃至特許文献３は、スポーツトレーニング中や、競技中に着用者に被服圧を加えることにより、筋力の補強や筋力を強化して運動機能の増大を促すものや、競技中の姿勢を保持するためのものであって、本発明の如く、ライフスタイルの中で長時間（例えば一日中）着用して、姿勢のコントロールをしたり、体形を補正することの可能なウェアを提供するものは皆無であった。
【特許文献１】特許第３０１２８１９号公報
【特許文献２】特開２００５−１４６４５０号公報
【特許文献３】特開２００１−３２１０４号公報
【発明の開示】
【発明が解決しようとする課題】
【０００６】
日常生活の中でも、一日中、立っている仕事、あるいは同一の姿勢をとり続ける仕事は意外に多い。同一の姿勢をとり続けた結果疲れがでてくると、疲労により姿勢が変形し所謂猫背の前屈み状態に陥り、放置しておくと骨格自体が変形してしまい美しい姿勢が失われることになる。
【０００７】
而して、本発明は、ライフスタイルの中で、例えば、朝から晩までの長時間に亘って着用でき、また、着用することにより体の必要部位に必要なサポート力をかけることができ、該サポート力のテーピング効果により姿勢をコントロールしたり、また体形を補正することが可能なウェアを提供するものである。
【０００８】
従って、本発明のウェアは、殊にはラッセル編み機による経編みを用いて、該経編みの切り替えしにより、上半身ウェアに部分的な伸度の大小、即ち、パワーの強弱を保有させ、該パワーの強弱配分をコントロールして窮屈で苦しいウェア全体の締め付け感をなくしたものであるといえる。
【０００９】
また、本発明のウェアは、伸縮性を有する素材を用いて、経編みや丸編みその他によって一体成型形状に製作される薄肉厚製品であって、男女のインナーウェアやスポーツジム用ウェア、Ｔシャツ（アウターウェア）、水着等に利用されて、着用者の姿勢のコントロールをしたり、体形を補正するに最適なウェアを提供するものである。
【課題を解決するための手段】
【００１０】
本発明は、伸縮性を有する素材を用いて、経編みや丸編みその他、殊には経編みにより縫い目のない一体成型形状に上半身ウェアを製作し、該上半身ウェアを着用することで体の必要部位に着圧をかけてテーピング効果により姿勢をコントロールしたり、体形を補正することを要旨としている。
【００１１】
尚、本発明に於いて「姿勢をコントロールする」とは、より正確に乃至詳細には、「姿勢を正しく保つ」ということであり、またその結果として筋肉量をバランスよく増やし基礎代謝を上げることで体質改善をはかること及び筋肉の萎縮を失くし血流をスムーズにすることでコリを改善すること、を言う。
又、「着圧をかけるべき身体の必要部位」とは、着圧によるテーピング効果により姿勢をコントロールしたり、あるいは体形を補正したりするに適切な、例えばアンダーバスト、肩口、背中等を言う。
【００１２】
また、本発明は、伸縮性を有する素材を用いて、経編みや丸編みその他、殊には経編みにより縫い目のない一体成型形状に上半身ウェアを製作し、該上半身ウェアを着用することで体の適宜部位に着圧をかけてテーピング効果により姿勢をコントロールしたり、体形を補正するウェアに於いて、前記体に着圧をかける上半身ウェアは殊にはラッセル編み機による経編みを用い、該経編みの切り替えしにより上半身ウェアに部分的な伸度の大小を保有させ、該伸度の大小配分、即ち、パワーの強弱配分にて姿勢をコントロールしたり、体形を補正することを要旨としている。
【００１３】
また、本発明は、伸縮性を有する素材を用いて、経編みや丸編みその他、殊には経編みにより縫い目のない一体成型形状に上半身ウェアを製作し、該上半身ウェアを着用することで体の必要部位に着圧をかけてテーピング効果により姿勢をコントロールしたり、体形を補正するウェアに於いて、前記体に着圧をかける上半身ウェアは殊にはラッセル編み機による経編みを用い、該経編みの切り替えしによりアンダーバストまわりから肩口にかけて、並びに肩甲骨から背中にかけてクロスさせた形状で伸度が小さく強いパワーゾーンを形成し、該パワーゾーンの経編み部を姿勢制御用部となし、該姿勢制御用部が、殊に疲労により姿勢が変形して猫背の前屈み状態に陥ると、背中にパワーを感じさせ着用者に姿勢が悪いことを意識させることにより着用者自身が正しい姿勢に戻すのを助けるとともに、疲労度が増してきたときには正しい姿勢に戻しそれを保つこと、加えて体形を補正すること、を要旨としている。
【００１４】
更に、本発明において、伸縮性を有する素材を用いて、経編みや丸編みその他、殊には経編みにより縫い目のない一体成型形状に製作された上半身ウェアは、殊には経編みの切り替えしによりアンダーバストまわりから肩口にかけて、並びに肩甲骨から背中にかけてクロスさせた形状でパワーゾーンが形成され、該パワーゾーンからなる姿勢制御用部のうち前記肩甲骨から背中にかけてクロスさせた形状で構成されたパワーゾーンは前記アンダーバストまわりから肩口にかけてのパワーゾーンに比較して、着用時にその伸度が小さく強いパワーを有していることをも要旨としている。
【００１５】
また、本発明において、伸縮性を有する素材を用いて、経編みや丸編みその他、殊には経編みにより縫い目のない一体成型形状に製作された上半身ウェアは、殊には経編みの切り替えしによりアンダーバストまわりから肩口にかけて、並びに肩甲骨から背中にかけてクロスさせた形状でパワーゾーンが形成され、該パワーゾーンからなる姿勢制御用部は縦方向にその伸度が小さく、また横方向にはその伸度を大きく構成したことをも要旨としている。
【００１６】
また、本発明において、伸縮性を有する素材を用いて、経編みや丸編みその他、殊には経編みにより縫い目のない一体成型形状に製作された上半身ウェアは、パワーゾーンが形成された姿勢制御用部と他の生地部とからなり、該生地部は前記パワーゾーンが形成された姿勢制御用部に比較してその伸度が大きく弱いパワーを有していることをもその要旨としている。
【００１７】
更に、本発明において、伸縮性を有する素材を用いて、経編みや丸編みその他、殊には経編みにより縫い目のない一体成型形状に製作された上半身ウェアは、パワーゾーンが形成された姿勢制御用部と他の生地部とからなり、該生地部は縦方向にその伸度が小さくまた横方向にはその伸度を大きく構成したことを要旨としている。
【００１８】
また、本発明において一体成型形状に製作される上半身ウェアは、天然繊維、または合成繊維、或いは天然繊維と合成繊維の混紡等を基にした、伸縮性がある素材を用いて成型されることが重要であり、実用化される製品としては、前記した伸縮性のある素材とポリウレタン混の繊維が有効である。
【００１９】
また、本発明において、伸縮性のある素材を用いて、経編みや丸編みその他、殊には経編みにより一体成型形状に製作される上半身ウェアは、殊にはラッセル編み機による経編みを用い（場合によっては丸編みなどを用い）ることにより薄厚に成型でき、該薄厚とは最大で２．０ｍｍ厚、最小で０．３ｍｍ厚であることも要旨としている。
【００２０】
更にまた、本発明において、伸縮性のある素材により一体成型形状に製作される上半身ウェアは、表面にはポリエステル、裏面にはナイロンとポリウレタン混をリバーシブルで使用していることを要旨としている。
【発明の効果】
【００２１】
而して、本発明は、上述した課題の解決手段を用いることにより、ライフスタイルの中で、例えば、長時間に亘って着用でき、また、着用することにより体の必要部位に必要なサポート力をかけることができ、該サポート力のテーピング効果により姿勢をコントロールしたり、体形を補正することが可能な上半身ウェアを提供することができた。
【００２２】
また、本発明のウェアは、経編みや丸編みその他、殊にはラッセル編み機による経編みを用い、該経編みの切り替えしにより上半身ウェアに部分的な伸度の大小を保有させ、該伸度の大小配分、即ち、パワーの強弱配分にて、窮屈で苦しいウェア全体の締め付け感をなくした姿勢をコントロールするためのウェアを提供することができた。
【００２３】
更にまた、本発明のウェアは、伸縮性を有する素材を用いて、経編みや丸編みその他、殊には経編みにより一体成型形状に製作される薄肉厚製品であって、男女のインナーウェアやスポーツジム用ウェア、Ｔシャツ（アウターウェア）、水着等に利用されて、姿勢をコントロールしたり、体形を補正することのできるウェアを提供することができた（上半身ウェアという体裁に限られることはなく応用されることは勿論である）。
【発明を実施するための最良の形態】
【００２４】
本発明は、伸縮性を有する素材を用いて、経編みや丸編みその他、殊には経編みにより縫い目のない一体成型形状に上半身ウェアを製作し、該上半身ウェアを着用することで体の必要部位に着圧をかけてテーピング効果により姿勢をコントロールしたり、体形を補正する構成とすることが好ましい。
【００２５】
また、本発明は、伸縮性を有する素材を用いて、経編みや丸編みその他、殊には経編みにより縫い目のない一体成型形状に上半身ウェアを製作し、該上半身ウェアを着用することで体の必要部位に着圧をかけてテーピング効果により姿勢のコントロールをしたり体形を補正するウェアに於いて、前記体に着圧をかける上半身ウェアは好ましくはラッセル編み機による経編みを用い、該経編みの切り替えしにより上半身ウェアに部分的な伸度の大小、即ち、パワーの強弱を保有させ、該パワーの強弱配分にて姿勢をコントロールしたり、体形を補正する構成とする。
【００２６】
また、本発明は、伸縮性を有する素材を用いて、経編みや丸編みその他、殊には経編みにより縫い目のない一体成型形状に上半身ウェアを製作し、該上半身ウェアを着用することで体の必要部位に着圧をかけてテーピング効果により姿勢をコントロールしたり体形を補正するウェアに於いて、前記体に着圧をかける上半身ウェアは好ましくはラッセル編み機による経編みを用い、該経編みの切り替えしによりアンダーバストまわりから肩口にかけて、並びに肩甲骨から背中にかけてクロスさせた形状で伸度が小さく強いパワーゾーンを形成し、該パワーゾーンの経編み部を姿勢制御用部となし、該姿勢制御用部が、殊に疲労により姿勢が変形して猫背の前屈み状態に陥ると、背中にパワーを感じさせ着用者に姿勢が悪いことを意識させることにより着用者自身が正しい姿勢に戻すのを助けるとともに、疲労度が増してきたときには正しい姿勢に戻しそれを保つこと、加えて体形をも補正する。
【００２７】
また、本発明において、伸縮性を有する素材を用いて、経編みや丸編みその他、殊には経編みにより縫い目のない一体成型形状に製作された上半身ウェアは、好ましくは経編みの切り替えしによりアンダーバストまわりから肩口にかけて、並びに肩甲骨から背中に掛けてクロスさせた形状でパワーゾーンが形成され、該パワーゾーンからなる姿勢制御用部のうち前記肩甲骨から背中にかけてクロスさせた形状で構成されたパワーゾーンは前記アンダーバストまわりから肩口にかけてのパワーゾーンに比較して着用時その伸度が小さく強いパワーを有している。
【００２８】
また、本発明において、伸縮性を有する素材を用いて、経編みや丸編みその他、殊には経編みにより縫い目のない一体成型形状に製作された上半身ウェアは、殊には経編みの切り替えしによりアンダーバストまわりから肩口にかけて、並びに肩甲骨から背中にかけてクロスさせた形状でパワーゾーンが形成され、該パワーゾーンからなる姿勢制御用部は縦方向にその伸度が小さくまた横方向にはその伸度を大きく構成したことが好ましい。
【００２９】
また、本発明において、伸縮性を有する素材を用いて、経編みや丸編みその他、殊には経編みにより縫い目のない一体成型形状に製作された上半身ウェアは、パワーゾーンが形成された姿勢制御用部と他の生地部とからなり、該生地部は前記パワーゾーンが形成された姿勢制御用部に比較してその伸度が大きく弱いパワーを有していることも好ましい。
【００３０】
また本発明において、伸縮性を有する素材を用いて、経編みや丸編みその他、殊には経編みにより縫い目のない一体成型形状に製作された上半身ウェアは、パワーゾーンが形成された姿勢制御用部と他の生地部とからなり、該生地部は縦方向にその伸度が小さく、また、横方向にはその伸度を大きく構成することも好ましい。
【００３１】
また、本発明において、伸縮性のある素材を用いて、経編みや丸編みその他、殊には経編みにより一体成型形状に製作される上半身ウェアは、天然繊維、または合成繊維、或いは天然繊維と合成繊維の混紡等を基にした伸縮性のある素材を用いて成型され、実用化される製品は、殊に前記伸縮性のある素材とポリウレタン混の繊維が用いられることが好ましい。
【００３２】
また、本発明において、伸縮性のある素材を用いて、経編みや丸編みその他、殊には経編みにより一体成型形状に製作される上半身ウェアは、殊にはラッセル編み機による経編みを用い（場合によっては丸編み等を用い）ることにより薄厚に成型でき、該薄厚とは最大で２．０ｍｍ厚、最小で０．３ｍｍ厚の薄肉厚であることが好ましい。
【００３３】
更にまた、本発明において、伸縮性のある素材により、経編みや丸編みその他、殊には経編みにより一体成型形状に製作される上半身ウェアは、表面にはポリエステル、裏面にはナイロンとポリウレタン混をリバーシブルで使用していることが好ましい。
【実施例１】
【００３４】
図１、並びに図２は、本発明の実施例１を説明するもので、図１は本発明の姿勢をコントロールするためのウェアの形状を示す正面図でありウェアの前面を示している。図２は、図１の背面図でありウェアの背中面の形状を示している。
【００３５】
図３a、図３ｂ、図３ｃは、図１、並びに図２で形状を示した本発明の姿勢をコントロールするためのウェアの性能検証説明図であり、図３aはウェア着用前の姿勢を示す側面図、また、図３ｂはウエア着用後の姿勢を示す側面図、並びに図３ｃはウェアの着用前、着用後の姿勢を比較するために図３aと図３ｂを重ね合わせた状態を示す側面図である。
【００３６】
また、図４は、前記図３ｃの状態を平面図的に表示した肩先の比較図で、ウェアの着用前、着用後の姿勢を肩先の位置比較で説明するものである。
【００３７】
尚、表１は、本発明における姿勢をコントロールするためのウェア伸長評価を示しており、表２a、表２ｂは姿勢をコントロールするためのＳＳカーブ（応力−ひずみ曲線）をグラフにて表示している。そして、表２aは本発明のウェアにおける姿勢制御部のパワー強部を表示し、表２ｂは本発明のウェアにおける他の生地部のパワー弱部を表示している。
（表１）
【００３８】
2007138335.tif 000003
＊．「試料素材」
・表面はポリエステル１００％、裏面はナイロン８０％とポリウレタン２        ０％の混紡布帛。
・ラッセル編み機による経編みにて製作。
・厚はパワー強部０．７９ｍｍ、パワー弱部０．６３ｍｍ。
＊．「試料方法の説明」
・「試料寸法」
巾は２．５ｃｍ、丈は１６ｃｍ。
・「つかみ」
つかみ巾は、上部２．５ｃｍ、下部３．５ｃｍ。
つかみ間隔（上部つかみと下部つかみの間隔）は１０ｃｍ。
・「負荷単位」
Ｎ（ニュートン、１Ｎ＝０．１ｋｇ）
（表２）
【００３９】
2007138335.tif 000004
【００４０】
図１並びに図２において、１は上半身ウェア、２は上半身ウェア１の前面、３は上半身ウェアの背中面であって、前記上半身ウェア１の前面２と背中面３は、伸縮性を有する素材を用いて縫い目のない一体成型形状に製作されている。
【００４１】
前記上半身ウェア１は、着用することで体の必要部位に着圧をかけてテーピング効果により姿勢をコントロールしたり体形を補正することが可能であり、該上半身ウェア１は、一体成型形状に製作され伸度が小さく強いパワーゾーンを形成している姿勢制御用部４と他の生地部５とから構成されている。
【００４２】
前記、パワーゾーンを形成している姿勢制御用部４は、上半身ウェア１の前面２並びに背中面３にわたり形成されており、該姿勢制御用部４は前面２から体を帯状に包囲しているアンダーバスト周り部分６と、肩甲骨から背中にかけてクロスさせた形状のクロスゾーン部７とに分けることができる。
【００４３】
そして、前記パワーゾーンを形成している姿勢制御用部４の伸度は、着用時に於いて、クロスゾーン部７が一番小さく強いパワーゾーンを保有しており、アンダーバスト周り部分６は、締め付け感はないが前記クロスゾーン部７の働きを補助できる程度の伸度は有しており、他の生地部５は、横方向のパワーを弱く（伸度を大きく）して、ウェアの着用による締め付け感を除外している。
尚、図１、図２において、８はウェア下部、９は袖ぐり、１０は襟ぐりをそれぞれ示しているが、本発明の実施例では、前記ウェア下部８、袖ぐり９、襟ぐり１０は折り返し部を設けずに無縫製としている。
【００４４】
斯くして、上半身ウェア１は、ラッセル編み機による経編みを用い（場合によっては丸編み等を用い）て、天然繊維、または合成繊維、或いは天然繊維と合成繊維の混紡等を基にした伸縮性のある素材により、縫い目のない一体成型形状に製作されるもので、前記伸縮性のある素材を用いて一体成型形状に製作される上半身ウェア１はラッセル編み機による経編みを用い（または場合によっては丸編み等を用いることにより）薄厚に成型できるものであり、該薄厚とは最大で２．０ｍｍ厚、最小で０．３ｍｍ厚の薄厚であることから、男女のインナーウェアやスポーツジム用ウェア、Ｔシャツ（アウターウェア）、水着等に広く使用され、姿勢をコントロールするためのウェアとして最適である。
【００４５】
本発明は、上記構成により、伸縮性を有する素材を用いて縫い目のない一体成型形状に上半身ウェア１を製作し、該上半身ウェア１を着用することで着用者の体の必要部位に着圧をかけてテーピング効果により姿勢をコントロールしたり体形を補正できる構成を有し、姿勢をコントロールするためのウェアを提供できた。
【００４６】
また、本発明は、伸縮性を有する素材を用いて縫い目のない一体成型形状に上半身ウェア１を製作し、該上半身ウェア１を着用することで体の必要部位に着圧をかけてテーピング効果により姿勢をコントロールしたり体形を補正するウェアに於いて、前記体に着圧をかける上半身ウェア１はラッセル編み機による経編みを用い、該経編みの切り替えしにより上半身ウェア１に部分的な伸度の大小、即ち、パワーの強弱を保有させ、該パワーの強弱配分にて姿勢をコントロールしたり体形を補正する構成を有し、姿勢をコントロールするための良好なウェアを提供できた。
【００４７】
また、本発明は、伸縮性を有する素材を用いて縫い目のない一体成型形状に上半身ウェア１を製作し、該上半身ウェア１を着用することで体の必要部位に着圧をかけてテーピング効果により姿勢をコントロールしたり体形を補正するウェアに於いて、前記体に着圧をかける上半身ウェア１はラッセル編み機による経編みを用い、該経編みの切り替えしによりアンダーバスト周り部分６と、肩甲骨から背中にかけてクロスさせた形状のクロスゾーン部７で伸度が小さく強いパワーゾーンを形成し、該パワーゾーンの経編み部を姿勢制御用部４となし、該姿勢制御用部４が、殊に疲労により姿勢が変形して猫背の前屈み状態に陥ると、背中にパワーを感じさせ着用者に姿勢が悪いことを意識させることにより着用者自身が正しい姿勢に戻すのを助けるとともに、疲労度が増してきたときには正しい姿勢に戻しそれを保つこと、加えて体形を補正する構成を有した姿勢をコントロールする、ためのウェアである。
【００４８】
而して、図３a、図３ｂ、図３ｃは、図１並びに図２で形状を示した本発明の姿勢をコントロールするためのウェアの性能検証説明図であり、図３aはウェア着用前の姿勢を示す側面図、また、図３ｂはウエア着用後の姿勢を示す側面図、並びに図３ｃはウェアの着用前、着用後の姿勢を比較するために図３aと図３ｂを重ね合わせた状態を示す側面図である。  
【００４９】
図３ａにおいて、モデル１１は、本発明の上半身ウェア１の着用前の状態を示し、モデル１１は、例えば仕事の疲れにて姿勢線１３（想像線にて示す）が、曲がってきている。図３ｂのモデル１２は、本発明の上半身ウェア１を着用して、姿勢線１４（実線にて示す）を補正したり、本発明の姿勢制御用部４のパワーゾーンの働きでサポート力を発揮せしめ、その結果として姿勢線１４を図の如く望ましい略直線に補正している。
【００５０】
従って、図３ｃの如く、図３aと図３ｂを重ね合わせると姿勢線１３が姿勢線１４まで補正されたことが解る。
【００５１】
また、図４は、前記図３ｃの状態を平面図的に表示したウェアの着用前、着用後の姿勢を肩先位置で比較するための説明図である。
図４においては、本発明の上半身ウェア１を着用して姿勢を測定すると、上半身ウェア１を着用後の姿勢１５（実線にて示す）が着用前の姿勢１６（想像線にて示す）に比較して、肩先１７の位置が後ろ方向に移動して、所謂猫背状態が改善されていることが解る。
【００５２】
而して、本発明において、伸縮性を有する素材を用いて縫い目のない一体成型形状に製作された上半身ウェア１は、経編みの切り替えしによりアンダーバスト周り部分６から肩口にかけて、並びに肩甲骨から背中にかけてクロスさせた形状でパワーゾーンが形成されたクロスゾーン部７においてパワーゾーンが形成され、前記クロスゾーン部７は、殊に縦方向のパワーが生かされ、姿勢制御機能を発揮する。アンダーバスト周り部分６は、横方向の伸びが生かされ締め付け感が軽減されている。
【００５３】
また、本発明において、伸縮性を有する素材を用いて縫い目のない一体成型形状に製作された上半身ウェアは、経編みの切り替えしによりアンダーバスト周り部分６、並びに肩甲骨から背中にかけてクロスさせた形状でクロスゾーン部７にパワーゾーンが形成され、該アンダーバスト周り部分６とクロスゾーン部７とからなる姿勢制御用部４は縦方向にその伸度が小さく、また該姿勢制御用部４は横方向にその伸度を大きく構成したことを特徴としている。
そして、上記の構成は、表１の姿勢制御部（パワー強部）縦、横の伸度測定結果を見ることでもあきらかである。
【００５４】
また、本発明において、伸縮性を有する素材を用いて縫い目のない一体成型形状に製作された上半身ウェア１は、パワーゾーンが形成された姿勢制御用部４と他の生地部５とからなり、該生地部５は前記パワーゾーンが形成された姿勢制御用部４に比較して縦、横方向共、その伸度が大きく弱いパワーを有していることを特徴としている。
【００５５】
更にまた、本発明において、伸縮性を有する素材を用いて縫い目のない一体成型形状に製作された上半身ウェア１は、パワーゾーンが形成された姿勢制御用部４と他の生地部５とからなり、該生地部５は縦方向にその伸度が小さく、また、該生地部５の横方向にはその伸度を大きく構成したことを特徴としている。
【００５６】
そして、上記構成は、表１の他の生地部（パワー弱部）縦、横方向の伸度測定結果を見ることでも明らかである。
【００５７】
斯くして、本発明は、上記、測定結果を参考とし、更に、表２aにより表示された背中の姿勢を制御するためのウェア伸長率における姿勢制御部のパワー強部において縦と横の伸長率、並びに、表２ｂにより表示された背中の姿勢を制御するためのウェア伸長率における姿勢制御部のパワー弱部において縦と横の伸長率変化を連続的に読み取り、より締め付け感がなく、長時間にわたっても着用できる、背中の姿勢を制御するためのウェアを提供することを可能とした。
【００５８】
而して、本発明の姿勢を制御するための上半身ウェア１の性能を検証するために、実際の上半身ウェア１を数人に試着、体験してもらい、下記の結果を得ることができた。  
【００５９】
即ち、本発明の上半身ウェアを１３人に試着してもらい、着やすさを確認したところ、やや着にくいが２人、少し着やすいが４人、着やすいが７人との結果を得た。
【００６０】
また、本発明の上半身ウェアを１３人に試着してもらい、その後に、姿勢を悪くした状態での背中のパワーを感じるか否かを確認したところ、少し感じるが３人、感じるが１０人との結果を得た。
【００６１】
また、上記の試着者に、パワーを感じる主な部位を回答してもらった。その結果、肩甲骨周辺と回答した人が６人、中心や背骨周辺と回答した人が４人、背中全体と回答した人が３人との結果を得た。
【００６２】
また、背中のパワー感で姿勢を元に戻そうとする意識が働くか否かを確認したところ、少し感じるが６人、感じるが７人との結果を得た。
【００６３】
また、上記の試着者に、姿勢が悪くなっていない状態での圧迫感や苦しさはないか否か確認したところ、ちょうどよいと回答した人が１２人、ややきついと回答した人が１人、きついと回答した人は０人との結果を得た。
【００６４】
更にまた、生地の肌あたりに違和感はないかを確認したところ、少し良いが１人、良いが１２人との結果を得た。
【００６５】
上記、試着者の感想は、本発明を当初企画、設計した方向におおよそ合致した結果といえるものであった。
【産業上の利用可能性】
【００６６】
而して、本発明は、ライフスタイルの中で、例えば長時間に亘っても着用でき、また着用することにより体の必要部位に必要なサポート力をかけることができ、該サポート力のテーピング効果により姿勢をコントロールしたり、また体形を補正することが可能な、姿勢をコントロールするために良好なウェアを提供するものである。
【００６７】
また、本発明のウェアは、経編みや丸編みその他、殊にはラッセル編み機による経編みを用い、該経編みの切り替えしにより上半身ウェアに部分的なパワーの強弱を保有させ、該パワーの強弱配分にて窮屈で苦しいウェア全体の締め付け感をなくした、姿勢をコントロールするためのウェアを提供するものである。
【００６８】
更にまた、本発明のウェアは伸縮性を有する素材を用いて、経編みや丸編みその他、殊には経編みにより一体成型形状に製作される薄肉厚製品であって、男女のインナーウェアやスポーツジム用ウェア、Ｔシャツ（アウターウェア）、水着等に広く応用乃至利用されて、姿勢をコントロールしたり、体形を補正するためのウェアを提供するものであるから、その産業上の利用価値には多大なものがある。
【図面の簡単な説明】
【００６９】
【図１】本発明の実施例を説明する正面図でウェアの前面を示している。
【図２】本発明の実施例を説明する背面図でウェアの背中面を示している。
【図３】本発明の性能検証説明図である。
【図４】本発明の性能検証説明図で、図３ｃの平面図である。
【符号の説明】
【００７０】
１  上半身ウェア
２  上半身ウェアの前面
３  上半身ウェアの背中面
４  姿勢制御用部
５  他の生地部
６  アンダーバスト周り部分
７  クロスゾーン部
８  ウェア下部
９  袖ぐり
１０  襟ぐり
１１  モデル
１２  モデル
１３  姿勢線
１４  姿勢線
１５  ウェア着用後の姿勢
１６  ウェア着用前の姿勢
１７  肩先
【図１】
2007138335.tif 000005
【図２】
2007138335.tif 000006
【図３】
2007138335.tif 000007
【図４】
2007138335.tif 000008